(57)【要約】【課題】  締付時には、締付具本体とレバー体の係合が解除されず、しかもバンド体を緩める必要が生じた場合には、前記係合を簡単に解除可能にすることである。【解決手段】  帯状のバンド体Ｂの一端側が固定される締付具本体Ｅと、当該締付具本体Ｅに回動軸部Ｒを介して軸支されるレバー体Ｌとから成り、バンド体Ｂの張力Ｔにより、締付具本体Ｅの係合突起（係合部）３９とレバー体Ｌの被係合溝部（被係合部）１８ｂとが係合する構造のバンド体締付具において、前記レバー体Ｌ及び締付具本体Ｅには、前記レバー体Ｌの閉状態において工具を挿入又は引掛けて、当該工具を回動させることで、前記レバー体Ｌ及び締付具本体Ｅをバンド体Ｂの張力Ｔに抗して相対的にスライドさせて、前記係合を解除させる係合解除部である係合解除溝２１，４１又は係合解除引掛け突部８１及び係合解除引掛け面８３ａがそれぞれ形成された構成とする。【選択図】  図９
2015212575.tif 000002
【特許請求の範囲】
【請求項１】
帯状のバンド体の一端側が固定される締付具本体と、当該締付具本体に回動軸部を介して軸支されるレバー体とから成り、
当該レバー体を前記締付具本体の側に閉じることで、前記バンド体の他端側を引き寄せて、被締付物に対してバンド体を締め付ける構成のバンド体締付具であって、
前記レバー体及び締付具本体には、当該締付具本体に対してレバー体を閉じることで、互いに係合する係合部、及び被係合部がそれぞれ形成され、
前記締付具本体に対してレバー体を閉じて、バンド体の張力により、当該締付具本体とレバー体とが相対的にスライドすることで、前記係合部と被係合部とは、前記レバー体の開方向への回動を不能にして係合され、
前記レバー体及び締付具本体には、前記レバー体の閉状態において工具を挿入又は引掛けて、当該工具を回動させることで、前記レバー体及び締付具本体をバンド体の張力に抗して相対的にスライドさせて、前記係合を解除させる係合解除部がそれぞれ形成されていることを特徴とするバンド体締付具。
【請求項２】
前記各係合解除部は、それぞれ係合解除溝で形成されて、各係合解除溝は、バンド体の張力の作用方向に沿って一部又は全部が重複した状態で形成されていることを特徴とする請求項１に記載のバンド体締付具。
【請求項３】
帯状のバンド体の一端側が固定される締付具本体と、当該締付具本体に回動軸部を介して軸支されるレバー体とから成り、
当該レバー体を前記締付具本体の側に閉じることで、前記バンド体の他端側を引き寄せて、被締付物に対してバンド体を締め付ける構成のバンド体締付具であって、
前記レバー体及び締付具本体には、当該締付具本体に対してレバー体を閉じることで、互いに係合する係合部、及び被係合部がそれぞれ形成され、
前記締付具本体に対してレバー体を閉じて、バンド体の張力により、当該締付具本体とレバー体とが相対的にスライドすることで、前記係合部と被係合部とは、前記レバー体の開方向への回動を不能にして係合され、
前記レバー体には、当該レバー体の閉状態において、工具により、当該レバー体に作用する前記バンド体の張力の作用方向と反対方向の押圧力を当該レバー体に作用させて、前記係合を解除させる押圧解除部が形成されていることを特徴とするバンド体締付具。
【請求項４】
前記レバー体及び締付具本体のいずれか一方には、前記回動軸部が一体に設けられ、他方には、当該回動軸部を軸支する軸受部が設けられ、
前記軸受部には、前記バンド体の張力により、前記締付具本体とレバー体とが相対的にスライドするのを許容するスライド許容部を備えていることを特徴とする請求項１ないし３のいずれかに記載のバンド体締付具。
【請求項５】
前記レバー体又は締付具本体には、前記レバー体が開いている状態で、当該レバー体の回動軸部が前記バンド体の張力により相対的にスライドするのを防止するスライド防止部が設けられていることを特徴とする請求項４に記載のバンド体締付具。
【発明の詳細な説明】
【技術分野】
【０００１】
本発明は、帯状のバンド体の一端側が固定される締付具本体と、当該締付具本体に回動軸部を介して軸支されるレバー体とから成るバンド体締付具に関するものである。
【背景技術】
【０００２】
上記構成のバンド体締付具は、レバー体を前記締付具本体の側に閉じることで、バンド体の他端側を引き寄せて、被締付物に対してバンド体を締め付ける構成であって、従来のバンド体締付具の一つが特許文献１に記載されている。このバンド体締付具は、回動レバー（レバー体）の先端部に係合爪（係合部）が形成されていると共に、締付具本体には、当該回動レバーの先端部の係合爪が係合する本体係合爪受け（被係合部）が開口して形成され、回動レバーを閉じることで、当該回動レバーの係合爪が、締付具本体の本体係合爪受けに係合して、被締付物に対するバンド体の締付状態を維持している。
【０００３】
上記構造のバンド体締付具においては、バンド体に作用する張力は、回動レバーの係合爪と締付具本体の本体係合爪受けに係合を解除するように常時作用しているので、係合状態が長期間に亘ることで、或いは係合部分に不意の衝撃力が作用することで、両者の係合が解除される恐れがある。
【０００４】
また、何度も使用して、係合及びその解除を繰り返すことで、回動レバー及び締付具本体の各係合部分が徐々に変形される等して、係合部分の係合力が低下し、その結果、両者の係合が一層に解除され易くなる。
【先行技術文献】
【特許文献】
【０００５】
【特許文献１】特開２００７−２９８０８４号公報
【発明の概要】
【発明が解決しようとする課題】
【０００６】
本発明は、締付時におけるバンド体に作用する張力が、レバー体の係合部と締付具本体の被係合部との係合を確実にするような構造にして、締付時において、前記係合が解除されず、しかもバンド体を緩める必要が生じた場合には、前記係合を解除できるバンド体締付具の提供を課題としている。
【課題を解決するための手段】
【０００７】
上記課題を解決するための請求項１の発明は、帯状のバンド体の一端側が固定される締付具本体と、当該締付具本体に回動軸部を介して軸支されるレバー体とから成り、当該レバー体を前記締付具本体の側に閉じることで、前記バンド体の他端側を引き寄せて、被締付物に対してバンド体を締め付ける構成のバンド体締付具であって、前記レバー体及び締付具本体には、当該締付具本体に対してレバー体を閉じることで、互いに係合する係合部、及び被係合部がそれぞれ形成され、前記締付具本体に対してレバー体を閉じて、バンド体の張力により、当該締付具本体とレバー体とが相対的にスライドすることで、前記係合部と被係合部とは、前記レバー体の開方向への回動を不能にして係合され、前記レバー体及び締付具本体には、前記レバー体の閉状態において工具を挿入又は引掛けて、当該工具を回動させることで、前記レバー体及び締付具本体をバンド体の張力に抗して相対的にスライドさせて、前記係合を解除させる係合解除部がそれぞれ形成されていることを特徴としている。
【０００８】
請求項１の発明は、締付具本体に対してレバー体を回動させて閉じることで、レバー体の係合部と締付具本体の被係合部とが係合可能な状態、或いは係合直前の状態において、バンド体の張力により、当該締付具本体とレバー体とが所定長だけ相対的にスライドさせられることで、前記係合が完成し、バンド体の張力により、完成された当該係合の状態が維持される。よって、係合部と被係合部との形状を、前記係合が完成された状態で、解除されない形状にしておけば、被締付物がバンド体により締め付けられている状態において、前記係合が解除されることはない。一方、バンド体を緩める必要が生じて、前記係合を解除する場合には、レバー体の係合部と締付具本体の被係合部とが係合されたままの状態において即ち、レバー体の閉状態において、レバー体及び締付具本体にぞれぞれ形成された係合解除部に工具の先端部を挿入又は引掛けて、バンド体の張力に抗して当該工具をこじる（無理に回動させること）と、レバー体及び締付具本体は上記した係合時と逆方向に相対的にスライドされて、前記係合が解除され、締付具本体に対してレバー体を引き起こして、バンド体を緩めることが可能となる。
【０００９】
また、上記のようにして、工具をこじる操作においては、レバー体を押し付ける力は殆ど作用しないので、前記係合の解除後においては、レバー体に作用するバンド体の張力により、当該レバー体が自然に引き起こされる。
【００１０】
請求項２の発明は、請求項１の発明において、前記各係合解除部は、それぞれ係合解除溝で形成されて、各係合解除溝は、バンド体の張力の作用方向に沿って一部又は全部が重複した状態で形成されていることを特徴としている。
【００１１】
請求項２の発明によれば、レバー体及び締付具本体に形成された各係合解除溝には、バンド体の張力の作用方向に沿って一部又は全部が重複しているために、当該重複部に工具を挿入して、当該工具を回動させることで、締付具本体とレバー体とが相対的にスライドして、前記係合が解除される。このように、レバー体及び締付具本体に形成された各係合解除溝に工具の先端部を挿入し易くなって、解除作業が容易となる。
【００１２】
請求項３の発明は、帯状のバンド体の一端側が固定される締付具本体と、当該締付具本体に回動軸部を介して軸支されるレバー体とから成り、当該レバー体を前記締付具本体の側に閉じることで、前記バンド体の他端側を引き寄せて、被締付物に対してバンド体を締め付ける構成のバンド体締付具であって、前記レバー体及び締付具本体には、当該締付具本体に対してレバー体を閉じることで、互いに係合する係合部、及び被係合部がそれぞれ形成され、前記締付具本体に対してレバー体を閉じて、バンド体の張力により、当該締付具本体とレバー体とが相対的にスライドすることで、前記係合部と被係合部とは、前記レバー体の開方向への回動を不能にして係合され、前記レバー体には、当該レバー体の閉状態において、工具により、当該レバー体に作用する前記バンド体の張力の作用方向と反対方向の押圧力を当該レバー体に作用させて、前記係合を解除させる押圧解除部が形成されていることを特徴としている。
【００１３】
請求項１の発明は、締付具本体及びレバー体にそれぞれ設けられた各係合解除部に工具を挿入又は引掛けた状態で、当該工具をこじることで、締付具本体とレバー体とを相対的にスライドさせて、前記締付具本体とレバー体との係合を解除する構成であるのに対して、請求項３の発明は、工具により、レバー体に設けられた押圧解除部を単に押圧させることで、当該レバー体に作用しているバンド体の張力に抗して、締付具本体に対してレバー体をスライドさせることで、締付具本体とレバー体との係合を解除する構成である点が異なる。
【００１４】
請求項４の発明は、請求項１ないし３のいずれかの発明において、前記レバー体及び締付具本体のいずれか一方には、前記回動軸部が一体に設けられ、他方には、当該回動軸部を軸支する軸受部が設けられ、前記軸受部には、前記バンド体の張力により、前記締付具本体とレバー体とが相対的にスライドするのを許容するスライド許容部を備えていることを特徴としている。
【００１５】
請求項１ないし３の各発明は、バンド体の張力によって、締付具本体とレバー体とが相対的にスライドすることが基本構成となっており、請求項４の発明では、上記した相対的なスライドを許容するスライド許容部を、レバー体及び締付具本体のいずれか一方に設けられた軸受部に設けることで、その他方に設けられた回動軸部が前記張力によりスライドするのを可能にした。
【００１６】
請求項５の発明は、請求項４の発明において、前記レバー体又は締付具本体には、前記レバー体が開いている状態で、当該レバー体の回動軸部が前記バンド体の張力により相対的にスライドするのを防止するスライド防止部が設けられていることを特徴としている。
【００１７】
請求項１ないし３の各発明は、レバー体を閉じることで、レバー体の係合部と締付具本体の被係合部とが係合可能となって、バンド体の張力により、締付具本体とレバー体とが相対的にスライド可能な構成であるため、レバー体が開いている状態では、当該締付具本体とレバー体とは、バンド体の張力により相対的にスライドしないように阻止する必要がある。請求項５の発明では、このことを実現するために、レバー体及び締付具本体には、前記レバー体が開いている状態で、当該レバー体の回動軸部が前記バンド体の張力により相対的にスライドするのを防止するスライド防止部が設けられているため、前記係合部と被係合部とが非係合状態である場合には、締付具本体に対してレバー体は、両者の相対的なスライドを阻止させた状態で、特定の回動中心を中心にして安定して回動する。
【発明の効果】
【００１８】
本発明は、締付具本体に対してレバー体を回動させて閉じることで、レバー体の係合部と締付具本体の被係合部とが係合可能な状態、或いは係合直前の状態において、バンド体の張力により、当該締付具本体とレバー体とが所定長だけ相対的にスライドさせられることで、前記係合が完成し、バンド体の張力により、完成された当該係合の状態が解除されることなく維持されると共に、前記係合を解除する場合には、レバー体の係合部と締付具本体の被係合部とが係合されたままの状態において、レバー体及び締付具本体にそれぞれ形成された係合解除部に工具の先端部を挿入又は引掛けて、バンド体の張力に抗してこじると、レバー体及び締付具本体は上記した係合時と逆方向に相対的にスライドされて、前記係合が解除され、締付具本体に対してレバー体を引き起こして、バンド体を緩めることが可能となる。
【図面の簡単な説明】
【００１９】
【図１】締付具本体Ｅ及びレバー体Ｌを斜上方から見た分離状態の斜視図である。
【図２】締付具本体Ｅ及びレバー体Ｌを斜下方から見た分離状態の斜視図である。
【図３】（ａ）は、締付具本体Ｅの平面図、（ｂ）は、（ａ）のＸ1 −Ｘ1 線断面図である。
【図４】（ａ），（ｂ）は、それぞれ図３（ａ）のＸ2 −Ｘ2 線及びＸ3 −Ｘ3 線の断面図である。
【図５】（ａ），（ｂ）は、それぞれレバー体Ｌの平面図及び側面図である。
【図６】（ａ）は、図５（ａ）のＹ−Ｙ線断面図であり、（ｂ）は、（ａ）のＺ−Ｚ線断面図である。
【図７】（ａ），（ｂ）は、それぞれ締付具本体Ｅに対するレバー体Ｌが開状態、及びレバー体Ｌが閉じて、締付具本体Ｅの被係合溝１８とレバー体Ｌの係合突起３９とが係合した状態の斜視図である。
【図８】（ａ）〜（ｃ）は、締付具本体Ｅに対してレバー体Ｌが開いている状態から、閉じて、締付具本体Ｅの被係合溝１８とレバー体Ｌの係合突起３９とが係合するまでの状態を順次示す縦断面図である。
【図９】締付具本体Ｅ及びレバー体Ｌにそれぞれ形成された各係合解除溝２１，４１にマイナスドライバー６１の先端部を挿入してこじることで、締付具本体Ｅの被係合溝１８とレバー体Ｌの係合突起３９との係合を解除する状態を示す斜視図である。
【図１０】本発明に係るバンド体締付具Ｆを用いて、架設ポール７１に対して機器収容ボックス７２を取付けた状態の斜視図である。
【図１１】（ａ），（ｂ）は、レバー体Ｌの閉状態で、完全に重複した状態の係合解除溝２１’，４１’に挿入された工具により、締付具本体Ｒとレバー体Ｌとが相対的にスライドされる作用を説明する図である。
【図１２】締付具本体Ｅ及びレバー体Ｌにそれぞれ形成された各係合解除引掛け突部８１及び係合解除引掛け面８３ａにプラスドライバー９１の先端部を引掛けてこじることで、締付具本体Ｅの被係合溝１８とレバー体Ｌの係合突起３９との係合を解除する状態を示す斜視図である。
【図１３】レバー体Ｌに形成された段差状の係合解除引掛け面８３ａをマイナスドライバー６１を押圧させることで、締付具本体Ｅの被係合溝１８とレバー体Ｌの係合突起３９との係合を解除する状態を示す斜視図である。
【発明を実施するための形態】
【００２０】
以下、実施例を挙げて、本発明を更に詳細に説明する。
【００２１】
図１及び図２に示されるように、本発明に係るバンド体締付具Ｆは、バンド体Ｂの一端側に固定される締付具本体Ｅと、当該締付具本体Ｅに回動可能に軸支されるレバー体Ｌとから成り、いずれも樹脂の射出成形品である。締付具本体Ｅは、レバー体Ｌの回動軸部Ｒを軸支可能な構造になっているので、当該締付具本体Ｅの説明は、レバー体Ｌの説明を交えて行う。締付具本体Ｅは、図１〜図４に示されるように、底壁部１の両側に一対の側壁部２が対向して一体に形成され、当該底壁部１は、バンド体Ｂの配置方向に沿ってほぼ二分した場合に、バンド体Ｂの一端側Ｂ1 が挿通・固定されると共に、その他端側Ｂ2 が挿通される厚肉のバンド体挿通・固定部３と、レバー体Ｌの回動軸部Ｒを収容して回動可能に軸支するための前記バンド体挿通・固定部３よりは、遥かに薄肉の軸支部４とから成る。
【００２２】
レバー体Ｌは、図１、図２、図５及び図６に示されるように、レバー部３１の基端部に回動軸部Ｒが一体に設けられた構造であって、回動軸部Ｒは、ほぼ直径方向に設けられたバンド体挿通孔３２にバンド体Ｂの他端側Ｂ2 が挿通されて、当該バンド体Ｂに作用する張力Ｔにより当該バンド体Ｂを引掛け固定するバンド体引掛け固定部３３と、締付具本体Ｅに対してレバー体Ｌが開状態において、当該レバー体Ｌがバンド体Ｂの他端側Ｂ2 の張力Ｔの作用方向にスライドされるのを防止するために、当該バンド体引掛け固定部３３の軸方向の両端部に一体に設けられた略円盤状をした一対のスライド防止部３４と、締付具本体Ｅに対してレバー体Ｌを回動可能に軸支するために、当該一対のスライド防止部３４の外側面に一体に設けられた一対の支持軸部３５とから成る。側面視において、支持軸部３５は完全円形であるが、バンド体引掛け固定部３３及びスライド防止部３４は、非完全円形であり、その外径は、支持軸部３５、バンド体引掛け固定部３３、スライド防止部３４の順で大きくなっている。前記バンド体挿通孔３２は、回動軸部Ｒの全体の回動軸心Ｃ0 に対してずれた位置であって、しかもバンド体Ｂを鋭角状にして引っ掛けるために、レバー部３１の長手方向に対して非直角に形成されている。なお、締付具本体Ｅに対するレバー体Ｌの組み付けを可能にするために、支持軸部３５におけるレバー部３１の先端と反対側の部分は、テーパー面部３５ａが形成されている。
【００２３】
図１、図２及び図 5（ｂ）に示されるように、一対のスライド防止部３４におけるレバー部３１とほぼ反対側であって、肉厚方向に沿って外側の部分には、締付具本体Ｅに対してレバー体Ｌが閉じられた状態において、バンド体Ｂの他端側Ｂ2 の張力Ｔにより、締付具本体Ｅに対するレバー体Ｌのスライドを可能にするための円弧状のスライド可能溝３６が形成されている。図 5（ｂ）に示されるように、スライド可能溝３６は円弧状であって、この円弧の中心Ｃ3 は、回動軸部Ｒの回動軸心Ｃ0 に対してレバー部３１の側に、レバー体Ｌのスライド量Ｓだけずれた位置に配置されている。前記スライド防止部３４の円形部の外径を（Ｄ）とした場合において、前記スライド可能溝３６の底面である円弧面は、前記中心Ｃ3 を中心とする半径（Ｄ／２）の円弧である。
【００２４】
レバー部３１は、天板部３７の幅方向の両端に側板部３８が、組付け状態で締付具本体Ｅの側に向けて一体に形成されたものであって、当該レバー部３１の先端部の両側板部３８には、一対の係合突起３９が幅方向に突出して形成され、天板部３７と一対の側板部３８の各交差部における前記係合突起３９よりも回動軸部Ｒの側に近い部分には、それぞれ係合解除溝４１が形成されている。ここで、図５（ｂ）において、回動軸部Ｒの回動軸心Ｃ0 と前記係合突起３９の当該回動軸心Ｃ0 の側の端縁との距離を（Ｍ）と定める。なお、図１、図２及び図６において、４２は、レバー体Ｌの裏面側において、バンド体Ｂの他端側の部分に喰い込ませるために、バンド体挿通孔３２に臨む部分に形成された喰込み突起を示し、４３は、レバー体Ｌの閉操作を行う際に、人の指先を引っ掛けるためにレバー部３１の先端部の上面に設けられた指先引掛け部を示し、４４は、バンド体引掛け固定部３３において、バンド体挿通孔３２と平行に設けられた肉盗み部を示す。
【００２５】
次に、図１〜図４を参照して、締付具本体Ｅについてレバー体Ｌとの関係において、更に詳細に説明する。締付具本体Ｅの軸支部４は、レバー体Ｌの回動軸部Ｒを収容して回動可能に軸支する部分であって、一対の側壁部２の内側面には、レバー体Ｌの回動軸部Ｒの支持軸部３５を支持する凹溝状の軸受凹部５が対向して形成されていると共に、底壁部１におけるレバー体Ｌの回動軸部Ｒが収容される部分は、回動軸部Ｒの支持軸部３５の外径に対応する円弧面状に形成されている。前記軸受凹部５は、底壁部１を貫通する方形溝の上端に略半円状をした略半円溝が接続された形状であって、当該軸受凹部５の略半円状の部分においてレバー体Ｌの支持軸部３５が支持される。軸受凹部５の略半円状の部分の形状を詳細に説明すると、当該支持軸部３５の外径に対応した二つの四分円弧（中心角が９０°の円弧）が、レバー体Ｌのスライド量Ｓだけ、締付具本体Ｅとレバー体Ｌとの相対的なスライド方向Ｐ〔図８（ｂ）参照〕に沿って離れて配置されて、二つの四分円弧がスライド量Ｓの長さの線分で連結された形状である。バンド体挿通・固定部３に近い側の四分円弧の中心は、締付具本体Ｅに対してレバー体Ｌを回動可能に連結した（組み付けた）状態において、当該レバー体Ｌの回動軸心Ｃ0 が配置される位置Ｃ1 であると共に、バンド体挿通・固定部３から離れた側の四分円弧の中心は、締付具本体Ｅに対してレバー体Ｌが、バンド体Ｂの張力Ｔによりスライドされた後の後述の「係合状態」におけるレバー体Ｌの回動軸部Ｒの回動軸心Ｃ0 が配置される位置Ｃ2 となる。なお、軸受凹部５が底壁部１を貫通して形成されているのは、射出成形時に使用されるスライド型によるものであって、レバー体Ｌの回動軸部Ｒを支持するという機能上の意味は全くない。
【００２６】
また、図１〜図４において、締付具本体Ｅの軸支部４における前記軸受凹部５よりもバンド体挿通・固定部３から離れた位置の底壁部１には、一対の第１支持板部６と、当該一対の第１支持板部６の間に配置された一対の第２支持板部７との計４つの支持板部６，７が当該底壁部１の幅方向に沿って所定間隔をおいて一体に設けられている。一対の第１支持板部６は、レバー体Ｌの回動軸部Ｒを構成する一対のスライド防止部３４の軸心方向に沿った配置位置に対応した位置である各側壁部２の内側に配置されて、締付具本体Ｅにレバー体Ｌを連結した（組み付けた）状態において、前記一対のスライド防止部３４の一部が摺接して、レバー体Ｌの開状態において、当該レバー体Ｌがスライドするのを防止する基本作用を有し、レバー体Ｌの閉状態において、レバー体Ｌの回動軸部Ｒの各スライド防止部３４に設けられたスライド可能溝３６に第１支持板部６が嵌り込んで、当該レバー体Ｌのスライドを可能にすることで、締付具本体Ｅの後述の被係合溝１８とレバー体Ｌの前記係合突起３９との係合が解除されるのを不能としている。従って、第１支持板部６の支持面６ａは、前記位置Ｃ1 を中心とする半径（Ｄ／２）の円弧面で形成される。なお、図４（ａ）において、２点鎖線の円で示されるＫ1 ，Ｋ2 は、それぞれレバー体Ｌの開状態、及びレバー体Ｌの係合突起３９と締付具本体Ｅの被係合溝１８との係合状態におけるスライド防止部３４の配置位置を示す。
【００２７】
また、一対の第１支持板部６の間に配置された一対の第２支持板部７は、締付具本体Ｅに対してレバー体Ｌがスライド量（Ｓ）だけスライドされて、レバー体Ｌの係合突起３９と締付具本体Ｅの被係合溝１８とが係合された状態において、レバー体Ｌのバンド体引掛け固定部３３が当接することで、バンド体Ｂの張力Ｔにより、レバー体Ｌの全体が当該張力Ｔにより引っ張られる力を受ける部分であり、図４（ｂ）において、２点鎖線の円で示されるＫ3 は、この状態におけるバンド体引掛け固定部３３の配置位置を示す。従って、第２支持板部７の支持面７ａは、前記位置Ｃ2 を中心とするバンド体引掛け固定部３３の外径と同一の円弧面となっている。
【００２８】
厚肉状のバンド体挿通・固定部３には、バンド体Ｂの基端側を挿通して、底壁部１の底面から突出させるバンド体挿通孔１１がバンド体Ｂの配置方向に貫通して設けられていると共に、当該バンド体挿通孔１１は、底壁部１に設けられたバンド体引出孔１２に連通している。止金具１３は、金属板を鈍角状に折り曲げて形成され、バンド体挿通・固定部３には、バンド体挿通孔１１に連通する止金具挿入開口１４がレバー体Ｌが配置される面に開口して設けられ、当該止金具挿入開口１４から止金具１３が内部に挿入されて、止金具１３の基端部が止金具挿入孔１５に挿入固定されて、その先端部が、バンド体Ｂに作用する張力により当該バンド体Ｂの基端側の端部に喰い込むことで、当該バンド体Ｂの基端側が締付具本体Ｅに固定される。
【００２９】
バンド体挿通・固定部３の上面は、軸支部４から離れるに従って徐々に厚肉となるような傾斜面１６と、一対の側壁部２の上端面と平行な平行面１７とが接続されて形成され、バンド体挿通・固定部３の前記平行面１７の部分の一対の側壁部２には、内側面から見てＬ字形をした被係合溝１８が形成されている。被係合溝１８は、前記平行面１７に対して垂直な挿入溝部１８ａと、前記平行面１７と平行となって、当該挿入溝部１８ａから軸支部４の側に向けて設けられた被係合溝部１８ｂとから成る。なお、被係合溝１８の被係合溝部１８ｂが挿入溝部１８ａを超えて、側壁部２の端部まで達しているのは、締付具本体Ｅの射出成形時に使用されるスライド型によるものであって、レバー体Ｌの係合突起３９と係合する係合機能とは無関係の構造である。
【００３０】
なお、図１及び図３に示されるように、締付具本体Ｅの軸支部４の部分の一対の側壁部２の上端には、側壁部２からのレバー体Ｌのスライド防止部３４の突出部を覆うような三日月状の覆板部１９が設けられ、当該覆板部１９の内側面は、締付具本体Ｅに対するレバー体Ｌの組み付けを容易にするためにテーパー面１９ａに形成されている。
【００３１】
図８に示されるように、締付具本体Ｅに対してレバー体Ｌが開いている状態〔図８（ａ）〕において、締付具本体Ｅに対してレバー体Ｌを閉じることで、レバー体Ｌの係合突起３９が、締付具本体Ｅの被係合溝１８の挿入溝部１８ａに挿入され〔図８（ｂ）〕、その後に、バンド体Ｂの張力Ｔにより、当該レバー体Ｌが第１及び第２の各支持板部６，７の側に近付くように、締付具本体Ｅとレバー体Ｌとがスライド量（Ｓ）だけ相対的にスライドされて、締付具本体Ｅの被係合溝部１８ｂに、レバー体Ｌの係合突起３９が挿入されて係合され〔図８（ｃ）〕、バンド体Ｂに作用する張力Ｔによって、当該係合状態が維持されることで、当該係合が解除されなくなる。なお、図４（ａ）において、被係合溝１８の挿入溝部１８ａの軸支部４の側の端面と前記位置Ｃ1 との間の距離（Ｍ’）は、前記距離（Ｍ）よりも僅かに小さくなっていて、レバー体Ｌの閉状態で、締付具本体Ｅの被係合溝１８の挿入溝部１８ａに対するレバー体Ｌの係合突起３９の挿入を可能にしている。
【００３２】
締付具本体Ｅに対してレバー体Ｌを組み付けるには、支持軸部３５のテーパー面部３５ａを真下にして、締付具本体Ｅの軸支部４に対してレバー体Ｌを押し込むと、締付具本体Ｅの軸支部４の一対の側壁部２が僅かに拡開されて、締付具本体Ｅの軸支部４にレバー体Ｌの回動軸部Ｒが収容配置される。これにより、締付具本体Ｅの一対の軸受凹部５にレバー体Ｌの一対の支持軸部３５が配置されると共に、軸支部４の底面である底壁部１の上面の円弧面と一対の第１支持板部６の支持面６ａにレバー体Ｌのスライド防止部３４が摺接されることで、締付具本体Ｅの軸支部４にレバー体Ｌの回動軸部Ｒが回動可能に支持される。
【００３３】
そして、例えば、図１０に示されるように、バンド体締付具Ｆを用いて、架設ポール７１に機器収容ボックス７２を固定するには、一端側Ｂ1 が締付具本体Ｅに固定されたバンド体Ｂを、機器収容ボックス７２の背面のバンド体挿通孔７３に挿通させ、当該バンド体Ｂの他端側Ｂ2 をレバー体Ｌの回動により引き寄せて、当該レバー体Ｌに固定する。即ち、図７（ａ）及び図８（ａ）に示されるように、締付具本体Ｅに対してレバー体Ｌを起立させて、当該レバー体Ｌのバンド体引掛け固定部３３に設けられたバンド体挿通孔３２にバンド体Ｂの他端側Ｂ2 の端部を挿通させ、この状態で、図８（ｂ）に示されるように、レバー体Ｌを締付具本体Ｅの側に引き倒す。これにより、レバー体Ｌのバンド体引掛け固定部３３のバンド体挿通孔３２に挿通されたバンド体Ｂは、２箇所で鋭角状に屈曲されることで、当該バンド体Ｂは、弛むことなく締め付けられて、架設ポール７１に機器収容ボックス７２が固定される。なお、バンド体Ｂの前記屈曲部よりも先端の余長部は、締付具本体Ｅのバンド体挿通・固定部３の傾斜面１６及び平行面１７とレバー体Ｌのレバー部３１との間に挟まれる。
【００３４】
また、締付具本体Ｅに対してレバー体Ｌを引き倒すことで、レバー体Ｌの係合突起３９は、締付具本体Ｅの被係合溝１８の挿入溝部１８ａに挿入された後に、バンド体Ｂの張力により、締付具本体Ｅ及びレバー体Ｌが互いに引っ張られることで、締付具本体Ｅ及びレバー体Ｌは、当該レバー体Ｌが締付具本体Ｅの第１及び第２の各支持板部６，７の側に近接するように、相対的にスライドさせられて、レバー体Ｌの係合突起３９は、締付具本体Ｅの被係合溝１８の被係合溝部１８ｂに挿入係合され、バンド体Ｂの張力Ｔにより、この係合状態が維持されるため、係合が解除されることはない。当該レバー体Ｌの一対のスライド防止部３４の外周に形成された各スライド可能溝３６に一対の第１支持板部６が嵌り込むことで、レバー体Ｌの上記スライドが可能となる。このため、請求項４で特定される「スライド許容部」とは、締付具本体Ｅに形成された軸受凹部５と、レバー体Ｌのスライド防止部３４に形成されたスライド可能溝３６との組み合せに係る構造を指すことになる。また、図７（ｂ）及び図 8（ｃ）に示されるように、締付具本体Ｅ及びレバー体Ｌの上記した相対的なスライドにより、レバー体Ｌのバンド体引掛け固定部３３が一対の第２支持板部７に当接されるために、バンド体Ｂの他端側Ｂ2 の張力Ｔによりレバー体Ｌに作用する引張力を有効に受け止めることができる。
【００３５】
また、締付具本体Ｅの被係合溝部１８ｂとレバー体Ｌの係合突起３９との係合は、バンド体Ｂに作用する張力Ｔにより、締付具本体Ｅとレバー体Ｌとが相対的にスライドされることで、解除不能となっている。このため、バンド体締付具Ｆを用いてバンド体Ｂを締め付けている状態において、締付具本体Ｅの被係合溝１８とレバー体Ｌの係合突起３９との係合を解除することは、容易ではない。
【００３６】
そこで、前記係合の解除を容易にするために、締付具本体Ｅの一対の側壁部２における被係合溝１８よりも軸支部４に近い部分には、レバー体Ｌの係合解除溝４１に対応する係合解除溝２１が形成されている。図９及び図１０に示されるように、レバー体Ｌが締付具本体Ｅに対して閉状態において、バンド体Ｂの張力Ｔにより、締付具本体Ｅとレバー体Ｌとが相対的にスライドさせられて、上記した「係合状態」となった場合には、締付具本体Ｅの係合解除溝２１とレバー体Ｌの係合解除溝４１とは、バンド体Ｂの張力Ｔの作用方向Ｐに沿って、一部が重複した状態でずれて配置されている。これにより、バンド体Ｂの張力Ｔの作用方向Ｐに沿って一部が重複した状態でずれて配置された各係合解除溝２１，４１に亘って、マイナスドライバー６１の先端部を挿入した状態で、当該マイナスドライバー６１を矢印Ｑ1 の方向にこじる（無理に回動させる）と、締付具本体Ｅとレバー体Ｌとは、相対的に上記と逆方向にスライドされて、締付具本体Ｅの被係合溝１８の被係合溝部１８ｂと、レバー体Ｌの係合突起３９との係合が解除されて、締付具本体Ｅに対してレバー体Ｌを開くことができる状態となる。
【００３７】
また、上記実施例では、締付具本体Ｅ及びレバー体Ｌに設けられた各係合解除溝２１，４１は、バンド体Ｂの張力Ｔの作用方向Ｐに沿って一部が重複することで、バンド体Ｂの張力Ｔ野作用方向Ｐに沿ってずれて形成されており、工具（マイナスドライバー６１）の先端部を各係合解除溝２１，４１が重複した部分に挿入した状態において、当該工具と各係合解除溝２１，４１の内端面との隙間を小さくできるために、工具を矢印Ｑ1 に回動させる当初から、締付具本体Ｅ及びレバー体Ｌにこじり力が及んで、締付具本体Ｅとレバー体Ｌとが相対的にスライドさせられるために、係合解除の操作が容易となる利点がある。しかし、図１１に示されるように、各係合解除溝２１’，４１’は、完全に重複していても、上記係合の解除は可能である。即ち、図１１（ａ）に示されるように、レバー体Ｌの閉状態において、完全に重複した各係合解除溝２１’，４１’の間に、例えばマイナスドライバー６１のように、先端部が偏平となった工具を挿入し、この状態で、当該工具を矢印Ｑ1 の方向にこじると、当該工具の先端両端部により、各係合解除溝２１’，４１’の斜方向に沿って対向する各内端面が反対方向に押圧されることで、図１１（ｂ）に示されるように、締付具本体Ｅに対してレバー体Ｌが所定長だけスライドして、締付具本体Ｅの被係合溝１８の被係合溝部１８ｂと、レバー体Ｌの係合突起３９との係合が解除されて、当該レバー体Ｌを開くことができる。
【００３８】
図１２及び図１３には、それぞれ上記構成とは異なる締付具本体Ｅとレバー体Ｌとの係合解除の構造が示されている。図１２において、締付具本体Ｅの両側壁部２の上端面の長手方向の中央部には、係合解除引掛け突部８１が上方に突出してそれぞれ設けられ、レバー体Ｌの先端部（自由端部）の上面には、人の指を引掛ける機能を兼用した突部８３がほぼ全幅に亘って形成され、当該突部８３の支持軸部３５の側の端面は、当該レバー体Ｌの上面に対してほぼ垂直となった係合解除押圧面を兼用した係合解除引掛け面８３ａとなっている。レバー体Ｌの閉状態において、締付具本体Ｅの係合解除引掛け突部８１とレバー体の突部８３との間には、バンド体Ｂに作用する張力Ｔの作用方向Ｐに沿って所定の間隔が設けられ、当該間隔を形成する空所は、工具挿入空間８５となっている。係合解除引掛け突部８１における前記突部８３の係合解除引掛け面８３ａと対向する面は、締付具本体Ｅの上端面に対してほぼ垂直となっている。
【００３９】
よって、図１２に示されるように、レバー体Ｌの閉状態において、前記工具挿入空間８５にプラスドライバー９１の先端部を挿入した状態で、当該プラスドライバー９１を矢印Ｑ2 の方向にこじると、締付具本体Ｅとレバー体Ｌとは、相対的に上記と逆方向にスライドされて、締付具本体Ｅの被係合溝１８の被係合溝部１８ｂと、レバー体Ｌの係合突起３９との係合が解除されて、締付具本体Ｅに対してレバー体Ｌを開くことができる状態となる。
【００４０】
図９、図１１及び図１２のいずれに図示の場合においても、マイナス又はプラスの各ドライバー６１，９１により締付具本体Ｅ及びレバー体Ｌに対して「こじり力」を付与する状態において、当該レバー体Ｌに対して押圧力は作用しないので、締付具本体Ｅとレバー体Ｌとが所定長だけスライドして、レバー体Ｌの係合突起３９が、締付具本体Ｅの挿入溝部１８ａの位置に達すると、バンド体Ｂの張力Ｔにより、レバー体Ｌは、自然に引き起こされる利点がある。
【００４１】
また、図１３に示されるように、レバー体Ｌの閉状態において、当該レバー体Ｌの突部８３の係合解除押圧面を兼用した係合解除引掛け面８３ａにマイナスドライバー６１の先端を当接させた状態で押圧させて、レバー体Ｌに対して押圧力Ｊを作用させると、締付具本体Ｅに対してレバー体Ｌは所定量だけスライドされて、レバー体Ｌの引き起こしが可能となる。なお、図１１、図１２及び図１３において、締付具本体及びレバー体の全体形状は、図１、図２等に示される対応部材に対して僅かに形状が変更されているのみであるので、いずれも同一符号Ｅ，Ｌを用いた。
【００４２】
なお、締付具本体Ｅとレバー体Ｌをこじたり、或いはレバー体Ｌを押圧する工具として、作業者が携帯しているマイナス及びプラスの各ドライバー６１，９１を示したが、係合解除溝２１，４１或いは工具挿入空間８５に挿入可能であったり、更には、レバー体Ｌの突部８３に形成された係合解除押圧面を兼用した係合解除引掛け面８３ａに押圧可能であれば、上記以外の工具の使用も可能である。
【００４３】
また、上記実施例では、レバー体Ｌの側に支持軸部３５が設けられ、締付具本体Ｅの側に、当該支持軸部３５を支持する軸受凹部５が設けられているが、支持軸部及び軸受凹部が形成される部材を、上記実施例と逆にしてもよい。即ち、締付具本体Ｅの一対の側壁部２の内側面に短軸状の支持軸部が設けられ、レバー体Ｌのスライド防止部３４の外側面に軸受凹部を設けることも可能である。
【００４４】
本発明の本質は、締付具本体に対してレバー体が閉状態において、バンド体に作用する張力によって、締付具本体に対してレバー体が当該張力の作用方向に僅かにスライドされる構造にして、レバー体の係合部と締付具本体の被係合部との係合の解除を不能にした構成に存在する。従って、バンド体に作用する張力によって、締付具本体に対してレバー体が当該張力の作用方向に僅かにスライドされる構造が採用されておれば、レバー体の係合部と締付具本体の被係合部とは、両者が相対的にバンド体の張力の作用方向にスライド可能な位置であれば、上記実施例のように、レバー体Ｌのレバー部３１の先端部、及び締付具本体Ｅのバンド体挿通・固定部３の側の端部のみならず、いずれの位置であってもよい。具体的には、レバー体Ｌのレバー部３１における回動軸部Ｒに近い部分に係合部を設け、締付具本体Ｅにおける当該係合部に対応する位置に被係合部を設けることも可能である。
【符号の説明】
【００４５】
Ｂ：バンド体
Ｂ1 ：バンド体の一端側
Ｂ2 ：バンド体の他端側
Ｃ0 ：レバー体の回動軸心
Ｃ1 ：締付具本体におけるレバー体の回動時の回動軸心の位置
Ｃ2 ：締付具本体におけるレバー体の係合時の回動軸心の位置
Ｃ3 ：円弧状のスライド可能溝の形成の中心
Ｅ：締付具本体
Ｆ：バンド体締付具
Ｊ：押圧力
Ｌ：レバー体
Ｐ：バンド体の張力の作用方向（締付具本体とレバー体との相対的なスライド方向）
Ｑ1,Ｑ2 ：こじり方向
Ｒ：レバー体の回動軸部
Ｓ：レバー体のスライド量
Ｔ：バンド体の張力
５：軸受凹部（軸受部、スライド許容部）
１８：被係合溝（被係合部）
１８ａ：挿入溝部
１８ｂ：被係合溝部
２１，２１’：締付具本体の係合解除溝（係合解除部）
３４：スライド防止部
３６：スライド可能溝
３９：係合突起（係合部）
４１，４１’：レバー体の係合解除溝（係合解除部）
６１：マイナスドライバー（工具）
８１：係合解除引掛け突部
８３：突部（係合解除部）
８３ａ：係合解除押圧面を兼用した係合解除引掛け面（係合解除部）
８５：工具挿入空間
９１：プラスドライバー（工具）
【図１】
2015212575.tif 000003
【図２】
2015212575.tif 000004
【図３】
2015212575.tif 000005
【図４】
2015212575.tif 000006
【図５】
2015212575.tif 000007
【図６】
2015212575.tif 000008
【図７】
2015212575.tif 000009
【図８】
2015212575.tif 000010
【図９】
2015212575.tif 000011
【図１０】
2015212575.tif 000012
【図１１】
2015212575.tif 000013
【図１２】
2015212575.tif 000014
【図１３】
2015212575.tif 000015